(57)【特許請求の範囲】
【請求項１】
近接センサが出力する信号の値を閾値と比較することにより、物体が前記近接センサに近接しているか否かを判断する近接検出装置による近接／非近接の誤検出を防止するための誤検出防止装置であって、
前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を参照値として取得する手段と、
前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定する手段と、
を備えることを特徴とする誤検出防止装置。
【請求項２】
請求項１に記載の誤検出防止装置であって、
前記物体と前記近接センサとが非近接であると判断できる時には、更に前記近接センサが備えられている端末がユーザによる操作を受け付けている時が含まれ、前記端末がユーザによる操作を受け付けている時に前記近接センサから出力される信号の値を前記参照値として取得する手段を更に備えることを特徴とする誤検出防止装置。
【請求項３】
請求項１又は２に記載の誤検出防止装置であって、
前記物体と前記近接センサとが近接していると判断できる時には、前記近接センサと同一の端末に備えられている集音装置が一定以上の音量で音声を受け付けている時が含まれることを特徴とする誤検出防止装置。
【請求項４】
請求項１又は２に記載の誤検出防止装置であって、
前記物体と前記近接センサとが非近接であると判断できる時に前記近接センサから取得した参照値を、前記閾値と比較した場合に、前記物体と前記近接センサとが近接であると判断してしまうような値を前記閾値がとっている場合には、前記物体と前記近接センサとが近接でなくても近接であると判断してしまうような場合を生ずる値を前記閾値がとっている旨を外部に通知する手段を更に備えることを特徴とする誤検出防止装置。
【請求項５】
デバイスと、誤検出防止装置とを含んだ端末であって、
前記誤検出防止装置は請求項１乃至４の何れか１項に記載の誤検出防止装置であり、該誤検出防止装置による近接／非近接の検出に応じて、前記デバイスの動作状態を切り替えることを特徴とする端末。
【請求項６】
近接センサが出力する信号の値を閾値と比較することにより、物体が前記近接センサに近接しているか否かを判断する近接検出装置による近接／非近接の誤検出を防止するための誤検出防止方法であって、
前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を参照値として取得するステップと、
前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定するステップと、
を含むことを特徴とする誤検出防止方法。
【請求項７】
近接センサが出力する信号の値を閾値と比較することにより、物体が前記近接センサに近接しているか否かを判断する近接検出装置による近接／非近接の誤検出を防止するための誤検出防止装置としてコンピュータを機能させる誤検出防止プログラムであって、
前記コンピュータを、
前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を参照値として取得する手段と、
前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定する手段と、
を備える誤検出防止装置として機能させることを特徴とする誤検出防止プログラム。
【発明の詳細な説明】
【技術分野】
【０００１】
本発明は、近接センサにより物体が近接している状態か否かを判断する際の、近接センサの誤検出防止方法、誤検出防止装置及び誤検出防止プログラム並びに誤検出防止装置を含む端末に関する。
【背景技術】
【０００２】
昨今、装置に近接センサを搭載し、この近接センサによる計測値に基づいて物体の近接を検出できた場合には装置の動作状態を切り替えるような構成が広まっている。
【０００３】
例えば、スマートフォンと呼ばれる高機能型携帯電話機に近接センサを装備し、近接検出した場合に、画面を消灯し省電力とするという構成や、タッチパネルの操作受付を無効化し端末の誤操作を防ぐといった構成が一般的になっている。
【０００４】
このような、近接センサを利用した技術の一例が特許文献１及び特許文献２に記載されている。
【０００５】
特許文献１には、携帯電話装置に人感センサを搭載し、人体が接近していると判定した場合には表示部及び操作部の節電制御を行う、という技術が記載されている。
【０００６】
また、特許文献２には、人体等が近づいたことを検出するとタッチパネルをオフとする携帯電話機が記載されている。
【先行技術文献】
【特許文献】
【０００７】
【特許文献１】特開２０１０−０５０９４３号公報
【特許文献２】特開２０１１−０６１３１６号公報
【発明の概要】
【発明が解決しようとする課題】
【０００８】
上述したように、近接センサの測定値を利用する技術は一般的に用いられている。
【０００９】
しかしながら、このような技術では様々な理由により、製造工程により調整した近接センサの判定閾値が妥当でなくなってしまい、誤検出を招くことが考えられる。例えば、近接センサのレンズの汚れ、液晶等の保護シートにより近接センサのレンズ部を覆ってしまうことによる特性の変化、及びユーザの通話の際の癖、等の理由により誤検出を招くことが考えられる。より具体的に言うと、レンズに汚れが付着していた場合には、顔を近づけていなくても近接状態と誤検出してしまい端末の操作に支障をきたすといった問題が生じる。
【００１０】
そこで、本発明は、様々な理由によって近接センサの判定閾値が妥当でなくなってしまった場合であっても、近接状態でない状態を近接状態であると誤検出してしまうことを防止する、近接センサの誤検出防止方法、誤検出防止装置及び誤検出防止プログラム並びに誤検出防止装置を含む端末を提供することを目的とする。
【課題を解決するための手段】
【００１１】
本発明の第１の観点によれば、近接センサが出力する信号の値を閾値と比較することにより、物体が前記近接センサに近接しているか否かを判断する近接検出装置による近接／非近接の誤検出を防止するための誤検出防止装置であって、前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を参照値として取得する手段と、前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定する手段と、を備えることを特徴とする誤検出防止装置が提供される。
【００１２】
本発明の第２の観点によれば、デバイスと、誤検出防止装置とを含んだ端末であって、
前記誤検出防止装置は上記本発明の第１の観点により提供される誤検出防止装置であり、該誤検出防止装置による近接／非近接の検出に応じて、前記デバイスの動作状態を切り替えることを特徴とする端末が提供される。
【００１３】
本発明の第３の観点によれば、近接センサが出力する信号の値を閾値と比較することにより、物体が前記近接センサに近接しているか否かを判断する近接検出装置による近接／非近接の誤検出を防止するための誤検出防止方法であって、前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を参照値として取得するステップと、前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定するステップと、を含むことを特徴とする誤検出防止方法が提供される。
【００１４】
本発明の第４の観点によれば、近接センサが出力する信号の値を閾値と比較することにより、物体が前記近接センサに近接しているか否かを判断する近接検出装置による近接／非近接の誤検出を防止するための誤検出防止装置としてコンピュータを機能させる誤検出防止プログラムであって、前記コンピュータを、前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を参照値として取得する手段と、前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定する手段と、を備える誤検出防止装置として機能させることを特徴とする誤検出防止プログラムが提供される。
【発明の効果】
【００１５】
本発明によれば、様々な理由によって近接センサの判定閾値が妥当でなくなってしまった場合であっても、近接状態でない状態を近接状態であると誤検出してしまうことを防止可能となる。
【図面の簡単な説明】
【００１６】
【図１】本発明の実施形態による携帯電話機の基本的構成を表すブロック図である。
【図２】本発明の実施形態による携帯電話機の外観例を表す斜視図である。
【図３】本発明の実施形態による携帯電話機の他の外観例を表す斜視図である。
【図４】本発明の実施形態による誤検出防止方法の基本的動作を表すフローチャートである。
【発明を実施するための形態】
【００１７】
次に、本発明の実施形態について図面を用いて詳細に説明する。
【００１８】
図１は、本発明の実施形態による携帯電話機１００の構成を示すブロック図である。本実施形態では、携帯電話機１００の状態（ダイヤル中、通話状態等）よりユーザと携帯電話機１００との距離がどのような状態かを想定する。そして、近接状態であるか否かを判断するために閾値を用いて判断した結果が、想定した結果と食い違う場合には、閾値を修正する。
【００１９】
なお、今回の説明においては、携帯電話機１００により本実施形態を実現することを想定するが、本実施形態は他の機器により実現することができる。例えば、ＰＨＳ（Personal Handy-phone System）に準拠した端末により本実施形態を実現してもよい。また、本実施形態は持ち運び可能なモバイル端末により実現することを想定しているが、それ以外にも音声通話時にセンサに近づく機器であって、近接しているか否かを判定する用途がある機器であれば任意の機器により実現することができる。
【００２０】
ここで、図１を参照すると、携帯電話機１００は、記憶部１０１、タッチパネル１０２、近接センサ１０３、音声入出力部１０４及び制御部１０５を含む。これら各デバイスはそれぞれいくつもの部材から構成され、部材毎に別々に実装されている場合など複雑な部分もあるが、ここでは簡略化のためそれぞれを１つのデバイスとして図示する。
【００２１】
携帯電話機１００は、携帯電話網を介して他の携帯電話機と音声通信やメール送受信等を行う持ち運び可能な電話機である。なお、携帯電話機１００が準拠する通信方式は特に限定されず、任意の通信方式に準拠していてよい。
【００２２】
記憶部１０１は、不揮発性のメモリであり、後述する各種の閾値や、近接センサ１０３で取得した値等を記憶する。また、記憶部１０１及び／又は図示を省略する他の記憶部には、携帯電話機１００のハードウェアと協働して、本実施形態を実現するためのソフトウェアが格納される。
【００２３】
タッチパネル１０２は、情報をユーザに提示するための表示部と、ユーザの操作を受け付けるための操作部を一体として実現されるものである。タッチパネル１０２は任意の方式により実現可能であり、例えば静電容量方式等により実現可能である。
【００２４】
また、タッチパネル１０２は、制御部１０５からの制御により状態が切り替えられる。具体的には、制御部１０５はユーザが近接状態であると判断した場合にタッチパネル１０２に含まれるＬＣＤ（Liquid Crystal Display）や、有機エレクトロルミネッセンス（有機EL：Organic Electro-Luminescence）を消灯して省電力状態とする。また、完全に消灯するのではなく輝度を低下させてもよく、一部を表示するようにしてもよい。更に、誤操作を防止するためにユーザからの操作受付を中止するようにしてもよい。
【００２５】
なお、近年ではスマートフォンと呼ばれる、タッチパネルを具備した多機能型携帯電話機が広く普及しているため、本実施形態ではタッチパネル１０２を含むことを想定している。しかしながら、本実施形態では携帯電話機がタッチパネルを含むことは必須ではなく、携帯電話機に表示部と操作部が別々に設けられている構成であっても良い。また、タッチパネル１０２以外にも、操作部が追加して設けられていても良い。この場合は、表示部が消灯等の制御対象となる。また、操作部がユーザからの操作受付を中止する制御対象となる。加えて、表示部の消灯に併せて操作部のバックライトも消灯するようにしてもよい。
【００２６】
近接センサ１０３は、携帯電話機１００の近傍に位置する物体との距離を赤外線等により測定するセンサである。本実施形態では、近接センサ１０３をタッチパネル１０２や音声入出力部１０４と同一面に実装する。これにより音声通話を行うユーザ、又は音声通話を行おうとしているユーザの人体と、携帯電話機１００との距離を測定する。
【００２７】
音声入出力部１０４は、マイク等の集音装置と、スピーカ等の音声出力装置により実現される。携帯電話機１００を利用するユーザの発した音声は音声入出力部１０４により集音される。また、通話先の携帯電話機から送信されてきた通話相手の音声は音声入出力部１０４により出力される。
【００２８】
制御部１０５は、携帯電話機１００全体の動作を制御するための機能を有している。制御部１０５は、一連のデバイスで構成されており、具体的には記憶部１０１等に格納されている制御プログラム（ソフトウェア）を読み取り、この制御プログラムに従って処理する為の、メモリやＣＰＵ（Central Processing Unit）といったハードウェアを具備している。なお、これらのプログラム、ＣＰＵ及びメモリは図示を省略する。
【００２９】
また、記憶部１０１、タッチパネル１０２、近接センサ１０３及び音声入出力部１０４といった各部を駆動制御する為の駆動回路及び制御手段も制御部１０５が具備しているものとして説明をする、但し、説明の便宜上駆動回路及び制御手段を制御部１０５に含んだが、その一部又は全部が制御部１０５以外の独立したデバイスやＩＣで実現されてもよい。
【００３０】
また、図１では特に本実施形態の動作と関係する部分のみを図示したが、携帯電話機１００は、他にも図示を省略したアンテナや、バッテリー等を含んでいる。
【００３１】
次に、図２を参照して本実施形態の具体的な外観例について説明する。
【００３２】
図２を参照すると携帯電話機１００には、タッチパネル１０２、近接センサ１０３及び音声入出力部１０４は同一面に実装されている。また、今回の具体例では説明の便宜上近接センサ１０３を単一のデバイスとして表現しているが、近接センサ１０３は複数のデバイスにより構成されていてもよい。また、その形状、大きさ及び設置位置も特に限定されるものではない。
【００３３】
ここで、音声入出力部１０４は、携帯電話機１００の上部にスピーカとして実装され、更に携帯電話機１００の下部にマイクとして実装される。
【００３４】
そして、ユーザは携帯電話機１００を利用して音声通話を行う場合には音声入出力部１０４に耳及び口を近づける。そのため、音声通話時にユーザはタッチパネル１０２を視認及び操作することはできない。よって、音声通話時には、タッチパネル１０２を消灯することにより省電力化を図るものとする。また、タッチパネル１０２による操作受付を中止することにより誤操作を防止するものとする。
【００３５】
また、携帯電話機１００を実装する際は、図２に示した形状だけではなく、図３に示すような、いわゆる折り畳み型の形状としてもよい。図３に表す例では、タッチパネル１０２ではなく表示部１０６及び操作部１０７が設けられている。このような構成であっても、音声通話時には表示部１０６が視認できないため、消灯することが好ましい。また、操作部１０７による操作受付を中止してもよい。
【００３６】
更に、図２及び図３に図示される形状以外にも、音声通話時にタッチパネル１０２や表示部１０６を消灯し、タッチパネル１０２や操作部１０７の操作受付を中止することが好ましい形状であれば任意の形状により携帯電話機１００を実現して良い。
【００３７】
続いて、図４のフローチャートを参照して携帯電話機１００が行う近接センサの誤検出防止処理について詳細に説明する。
【００３８】
この説明の前提として、携帯電話機１００の生産工程や、ソフトウェアのバージョンアップ時等に、近接センサ１０３の「近接閾値」が記憶部１０１に予め設定されているものとする。ここで、近接閾値とは、制御部１０５が、ユーザが近接している状態であると判断する境の値のことをいう。近接センサ１０３はユーザとの距離に応じ、センサ読取値が増加又は減少する。ここで、ユーザとの距離が近ければ近いほどセンサ読取値が増加する設定と、ユーザとの距離が近ければ近いほどセンサ読取値が減少する設定との２つが考えられる。この点、今回の説明ではユーザとの距離が近ければ近いほどセンサ読取値が増加するものとする。この場合、制御部１０５はセンサ読取値が近接閾値を超えた場合に、ユーザの人体が近接していると判断する。そして、制御部１０５はユーザの人体が近接していると判断した場合にタッチパネル１０２を消灯する等して携帯電話機１００の動作状態を切り替える。なお、本実施形態ではこの予め設定されている近接閾値を「第１のＮＥＡＲ」と呼ぶ。
【００３９】
まず、ユーザによる相手先電話番号の入力操作や、電話帳からの選択操作等の何らかのダイヤル操作中であるか否かを確認する（ステップＳ１）。ここで、ユーザがダイヤル中であれば（ステップＳ１においてＹｅｓ）、『ユーザは操作中であり携帯電話機１００には顔を近づけていない』と判断できるため、非近接状態であると想定する。そして、このときのセンサ読取値を「非近接値ＦＡＲ」として記憶部１０１に格納する（ステップＳ２）。
【００４０】
一方、ユーザがダイヤル中で無い場合（ステップＳ１においてＮｏ）、携帯電話機１００が着信中であるか否かを確認する（ステップＳ３）。
【００４１】
着信中でない場合は（ステップＳ３においてＮｏ）動作を終了する。一方、着信中である場合は（ステップＳ３においてＹｅｓ）は、近接状態であるか否かを判断できないため、所定の間隔で近接センサ１０３からセンサ読取値を取得し、取得したサンプルの中から最小のセンサ読取値を非近接状態の値と判断する。そして、この最小のセンサ読取値を「非近接値ＦＡＲ」として記憶部１０１に格納する（ステップＳ４）。
【００４２】
ステップＳ２又はＳ４の次に実行されるステップＳ５では、ステップＳ２又はステップＳ４で取得した非近接値ＦＡＲと第１のＮＥＡＲとを比較する。
【００４３】
上述したように、今回の設定では近接センサ１０３の取得値が大きい程、ユーザとの距離が近いと判断できる。そして、非近接値ＦＡＲ≦第１のＮＥＡＲであった場合（ステップＳ５においてＮｏ）には、非近接値ＦＡＲと近接値第１のＮＥＡＲとの間にある測定値に対して、その測定値を非近接値ＦＡＲと比較すると非近接であると判断できる程に人体が離れているのに、その測定値を近接値ＮＥＡＲと比較すると近接であると誤判定してしまうことになる。すなわち、人体と近接センサとが非近接であるときに取得した非近接値ＦＡＲを近接ＮＥＡＲと比較すると、人体と近接センサとが近接であると誤判断してしまうような値を近接ＮＥＡＲがとっていることになる。
【００４４】
よって、第１のＮＥＡＲを用いて近接／非近接の判定を行なうこととすると、誤判定が生じてしまうと考えられる。従って、この場合にはエラーフラグを立てる。すなわち、Ｅｒｒｏｒ＝１として、そのＥｒｒｏｒを記憶部１０１に格納する（ステップＳ８）。なお、このような誤判定が行われてしまう原因としては、例えば近接センサ１０３のレンズが汚れている場合や、近接センサ１０３のレンズに画面保護シートが貼られてしまっている場合などが考えられる。
【００４５】
一方、非近接値ＦＡＲ＞第１のＮＥＡＲの場合（ステップＳ５においてＹｅｓ）は、上記の誤判定を生じることはないため、問題が無いと考えられる。よって、エラーフラグを立てることなく、Ｅｒｒｏｒ＝０として、そのＥｒｒｏｒを記憶部１０１に格納する（ステップＳ６）。
【００４６】
そして、第１のＮＥＡＲを近接閾値として引き続き用いて、近接状態にあるか否かを判断する。そして、判断結果に伴った装置動作（例えば、タッチパネル１０２の消灯）を行う（ステップＳ７）。
【００４７】
その後、制御部１０５は音声入出力部１０４による音声の入出力の検知や、通話先との通信が確立したことを契機として通話が開始されたと判断する（ステップＳ９）。
【００４８】
ステップＳ１０では、記憶部１０１を参照してＥｒｒｏｒ＝０か否かを確認する。Ｅｒｒｏｒ＝０であれば（ステップＳ１０においてＹｅｓ）、第１のＮＥＡＲに関して問題は生じていない。そのため、第１のＮＥＡＲを近接閾値として引き続き用い、近接状態にあるか否かを判断する。そして、判断結果に伴った装置動作（例えば、タッチパネル１０２の消灯）を行う（ステップＳ１１）。そして、通話終了に伴い動作を終了する。
【００４９】
一方、Ｅｒｒｏｒ＝１の場合は（ステップＳ１０においてＮｏ）、このまま第１のＮＥＡＲを近接閾値として判定を行ってしまうと誤判定となるため、再度ＮＥＡＲ値を取得する処理に入る。
【００５０】
ここでは通話状態であり近接状態かどうか判断できないが、音声入出力部１０４であるマイクより、或る一定の大きさの音が入力されていればユーザが携帯電話機１００に顔を近づけている状態であると想定できるため、この時点での近接センサ１０３の取得値を基にして所定の方法により決定した値を第２のＮＥＡＲとして記憶部１０１に格納する（ステップＳ１２）。なお、所定の方法とは、例えば、取得値から所定値を減らした値を第２のＮＥＡＲの値とする方法、取得値に１未満の所定値を乗じた値を第２のＮＥＡＲの値とする方法など、取得値と第２のＮＥＡＲ値との間に所定のマージンを設ける方法等である。
【００５１】
それ以後は、第２のＮＥＡＲを近接閾値として用い、近接状態にあるか否かを判断する。そして、判断結果に伴った装置動作（例えば、タッチパネル１０２の消灯）を行う（ステップＳ１３）。また、今回の通話が終了後には今回測定した第２のＮＥＡＲを消去してもよいが、第２のＮＥＡＲを次回も利用するようにしても良い。つまり、今回測定した第２のＮＥＡＲを新たな第１のＮＥＡＲとして扱うようにしてもよい。すなわち、次回に再度ステップＳ１からの動作を行う場合に、今回測定した第２のＮＥＡＲの値を第１のＮＥＡＲの値として動作を行うようにしても良い。
【００５２】
以上説明した本実施形態によれば、近接センサの汚れ等により近接状態でないにも関わらず近接状態と誤検出されてしまう場合に近接閾値を修正することから、誤検出を防ぐことが出来る、という効果を奏する。
【００５３】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００５４】
例えば、上述した本実施形態を以下のように変形することが可能となる。
【００５５】
上述の説明では誤検出と判断した場合（ステップＳ５においてＮｏ、ステップＳ１０においてＮｏ）、ステップＳ１２及びステップＳ１３の動作を行うことにより自動的に再度近接閾値を取得する。そして取得した値を用いて近接閾値を補正することにより判断処理を継続させている。
【００５６】
しかしながら、このような自動補正をせずに、ユーザに何らかの方法で問題があることを通知するようにしても良い。これにより、近接センサ１０３が汚れていないか等をユーザに確認するように促すことができる。なお、通知方法であるが、外部スピーカから警告音を出すことや、ＬＥＤ（Light Emitting Diode）を光らせることにより警告表示を出すこと等が考えられる。
【００５７】
更に、上述の説明では、制御部１０５が近接状態と判断した際にタッチパネル１０２を消灯し、操作受付を中止することを想定した。しかしながら、近接状態と判断した際の動作や非近接状態と判断した際の制御部１０５の動作はこれに限定されない。例えば、近接状態から非近接状態に切り替わったと判断できた場合には、音声出力を大きくしたり、マイクの感度を高めるようにしてもよい。
【００５８】
また、音声通話中に所定時間以上非近接状態が続いた場合は、音声通話を終了するようにしてもよい。すなわち、近接状態と非近接状態とのそれぞれに応じて、任意のデバイスの動作状態を任意の方式で切り替えるようにしてもよい。
【００５９】
本実施形態によれば、例えば近接センサ１０３のレンズが汚れている場合や、近接センサ１０３のレンズに画面保護シートが貼られてしまっている場合などであっても、それに対応して適切な近接閾値を設定することができる。
【００６０】
なお、上記の携帯電話機における誤検出防止装置は、ハードウェア、ソフトウェア又はこれらの組合わせにより実現することができる。また、上記の携帯電話機により行なわれる誤検出防止方法も、ハードウェア、ソフトウェア又はこれらの組合わせにより実現することができる。ここで、ソフトウェアによって実現されるとは、コンピュータがプログラムを読み込んで実行することにより実現されることを意味する。
【００６１】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６２】
上記の実施形態の一部又は全部は、以下の付記のようにも記載されうるが、以下には限られない。
【００６３】
（付記１）  近接センサが出力する信号の値を閾値と比較することにより、物体が前記近接センサに近接しているか否かを判断する近接検出装置による近接／非近接の誤検出を防止するための誤検出防止装置であって、
前記物体と前記近接センサとが非近接であると判断できる時に前記近接センサから出力される信号の値を参照値として取得する手段と、
前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定する手段と、
を備えることを特徴とする誤検出防止装置。
【００６４】
（付記２）  近接センサが出力する信号の値を閾値と比較することにより、物体が前記近接センサに近接しているか否かを判断する近接検出装置による近接／非近接の誤検出を防止するための誤検出防止装置であって、
前記物体と前記近接センサとが非近接であると判断できる時に前記近接センサから出力される信号の値を参照値として取得する手段と、
前記参照値を前記閾値と比較した場合に、前記物体と前記近接センサとが近接であると判断してしまうような値を前記閾値がとっている場合には、前記物体と前記近接センサとが近接でなくても近接であると判断してしまうような場合を生ずる値を前記閾値がとっている旨を外部に通知する手段と、
を備えることを特徴とする誤検出防止装置。
【００６５】
（付記３）  付記１又は２に記載の誤検出防止装置であって、
前記物体と前記近接センサとが非近接であると判断できる時には、前記近接センサが備えられている端末がユーザによる操作を受け付けている時が含まれることを特徴とする誤検出防止装置。
【００６６】
（付記４）  付記１乃至３の何れか１に記載の誤検出防止装置であって、
前記物体と前記近接センサとが非近接であると判断できる時には、前記近接センサが備えられている端末に着信があった時点から該着信に応じたユーザが通話を開始する時点までの間が含まれ、該前記端末に着信があった時点から該着信に応じたユーザが通話を開始する時点までの間に、前記近接センサから出力される信号の値を所定の間隔で取得し、該取得した値のなかで最も近接と判断される場合を少なくする値を前記参照値とすることを特徴とする誤検出防止装置。
【００６７】
（付記５）  付記１に記載の誤検出防止装置であって、
前記物体と前記近接センサとが近接していると判断できる時には、前記近接センサと同一の端末に備えられている集音装置が一定以上の音量で音声を受け付けている時が含まれることを特徴とする誤検出防止装置。
【００６８】
（付記６）  デバイスと、誤検出防止装置とを含んだ端末であって、
前記誤検出防止装置は付記１乃至５の何れか１項に記載の誤検出防止装置であり、該誤検出防止装置による近接／非近接の検出に応じて、前記デバイスの動作状態を切り替えることを特徴とする端末。
【００６９】
（付記７）  近接センサが出力する信号の値を閾値と比較することにより、物体が前記近接センサに近接しているか否かを判断する近接検出装置による近接／非近接の誤検出を防止するための誤検出防止方法であって、
前記物体と前記近接センサとが非近接であると判断できる時に前記近接センサから出力される信号の値を参照値として取得するステップと、
前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定するステップと、
を含むことを特徴とする誤検出防止方法。
【００７０】
（付記８）  近接センサが出力する信号の値を閾値と比較することにより、物体が前記近接センサに近接しているか否かを判断する近接検出装置による近接／非近接の誤検出を防止するための誤検出防止装置としてコンピュータを機能させる誤検出防止プログラムであって、
前記コンピュータを、
前記物体と前記近接センサとが非近接であると判断できる時に前記近接センサから出力される信号の値を参照値として取得する手段と、
前記参照値を前記閾値と比較した場合に、前記物体と前記近接センサとが近接であると判断してしまうような値を前記閾値がとっている場合には、前記物体と前記近接センサとが近接していると判断できる時に前記近接センサから出力される信号の値に基づいて決定した値を新たな閾値として設定する手段と、
を備える誤検出防止装置として機能させることを特徴とする誤検出防止プログラム。
【産業上の利用可能性】
【００７１】
本発明は、近接センサと表示装置を備えた携帯電話機などの端末において、端末への人体の近接に従った表示装置の消灯の制御などに利用することができる。
【００７２】
また、本発明は近接センサと操作部を備えた携帯電話機などの端末において、端末への人体の近接に従った操作部の無効化の制御などに利用することができる。
【００７３】
本発明は、近接センサと表示装置を備えた携帯電話機などの端末において、カバーなどの物体が端末を覆ったことに従った表示装置の消灯の制御などに利用することができる。
【００７４】
また、本発明は近接センサと操作部を備えた携帯電話機などの端末において、カバーなどの物体が端末を覆ったことに従った操作部の無効化の制御などに利用することができる。
【符号の説明】
【００７５】
１００  携帯電話機
１０１  記憶部
１０２  タッチパネル
１０３  近接センサ
１０４  音声入出力部
１０５  制御部
１０６  表示部
１０７  操作部
【図１】
0005464674.tif 000002
【図２】
0005464674.tif 000003
【図３】
0005464674.tif 000004
【図４】
0005464674.tif 000005